(57)【要約】【課題】  ランプ光量の安定化を早める。【解決手段】  画像読み取り装置において、フィルム読み取り装置を備えるものがあり、この際画像読み取りに用いる基板から発生する熱をフィルム読み取り用のランプへ導くことを特徴とする。【選択図】  図１
2005159951.tif 000002
【特許請求の範囲】
【請求項１】
可視領域で発光する第１の光源と、
非可視領域で発光する発光素子を複数個直列に発光素子基板上に配置した第２の光源と、
前記第１及び第２の光源から照射された光を面状に導光して原稿を照明する導光板と、
前記導光板により導光された前記第１又は第２の光源からの光により照明された前記原稿からの光を反射ミラー、収光レンズを介して画像信号に変換するＣＣＤと読取手段である基板を有することを特徴とする画像読取装置において
前記読取手段である基板から発する熱を、第１の光源と第2の光源に非動作時においても上記熱が行き渡るようにすることを特徴とする画像読み取り装置。
【請求項２】
請求項１において前記読取手段である基板へ通電制御を行って第１の光源と第２の光源に非動作時においても読取手段である基板から発する熱が行き渡るようにした、画像読み取り装置。
【発明の詳細な説明】
【技術分野】
【０００１】
本発明は原稿読取装置に関するものであり、詳しくは複写機、プリンタ、ファクシミリ装置、スキャナ等の画像読み取り装置で使用される照明装置と熱の流れに関するものである。
【背景技術】
【０００２】
従来、この種の画像読取装置においては、原稿を読み取るための画像読取装置において、原稿照明ユニットは、少なくとも可視領域において発光を行なう第１の光源と、赤外領域でのみ発光を行うＬＥＤを複数個直列にＬＥＤ基板上に配置した第2の光源と、これらの光源を端面に配設し、該端面からの入射光を平面全体にほぼ均一に発光させる導光板を有するように配置する（例えば、特許文献１参照）。
【０００３】
また画像読取装内の熱の流れにおいては、光学部材の下に配置した実装基板に通電制御をおこなって、発熱させて非動作時においても前記実装基板へ電流を流して、良好な画像読取を実施するものがある（例えば、特許文献２参照）。
【特許文献１】特開2002-281248号公報
【特許文献２】特開平11-133525号公報
【発明の開示】
【発明が解決しようとする課題】
【０００４】
ところが、従来の画像読み取り装置は、
１、可視光光源すべてに熱の供給を行わないため導光体のランプが暖まるまでのオームアップに時間がかかる
２、光源が安定する前にスキャンを行うと良好な画像得られない
等の問題があった。
【課題を解決するための手段】
【０００５】
上記問題を解決するために、本発明では原稿台ガラス面上の原稿を読み取る読取光学系の実装基板から発生する熱を利用して本出願に係る発明の目的を実現する画像形成装置、特に、光を面状に導光するための可視領域で発光する第１の光源に熱を供給することにより早期の光学部材への光量の安定化を早めたものである。
【０００６】
さらに発熱させる温度制御手段とを有することにより、消費電流の低減も図っている。
【発明の効果】
【０００７】
１．副走査方向に関する電気的補正を極めて正確に行うことが出来る。
２．簡易的構成により、主走査の光量変動を押さえることが出来る。
３．長時間の流し読みにおいても濃淡むらのない良好な画像をえる。
【発明を実施するための最良の形態】
【０００８】
（実施例１）
図１は、透過照明ユニット２の概略斜視図と可視領域で発光する第１の光源光により照明された前記原稿からの光を画像信号に変換する読取手段と、を有することを特徴とする画像読取装置の概略斜視図を示したもので、図に沿って説明を行います。
【０００９】
画像読取装置は、信号ケーブル（●）でホストコンピュータ（２１）と接続されている。画像読取装置は、ホストコンピュータ（２１）の命令で作動して画像を読み取り、画像信号をホストコンピュータ２１に転送する。
【００１０】
１０５は光源３から照射された原稿からの光を固体撮像素子であるＣＣＤ１０６上に結像するための結象レンズであり、撮像素子としてはＣＣＤ次に、電気基板１６にパルスモータ６を駆動するモータ駆動回路であり、画像読取装置（イメージスキャナ）１のシステム制御手段であるシステムコントローラからの信号によりパルスモータの励磁切替え信号を出力する。ＣＣＤアナログゲイン調整器は、ＣＣＤラインセンサ１０６から出力されたアナログ画像信号を可変増幅する。ディジタル信号化された画像信号に対してオフセット補正、シェーディング補正、デジタルゲイン調整、カラーバランス調整、マスキング、主・副走査方向の解像度変換等の画像処理を行う。
【００１１】
この際重要になってくるのが面状光源のランプの安定化と画像を読み取り装置のランプの安定化である。
【００１２】
この安定化を行うためには安定した温度調整が必要で、この安定した温度調整を行うために透過照明ユニット２内に温度センサーがあり、メイン電源が入ると共にメインＰＣＢＡとＣＣＤ基板へ電源供給が始まる、この電源供給により熱が発生する。
【００１３】
ＣＣＤ基板を内臓する画像読取装置とメインＰＣＢＡはホームポジション側に位置して、上部には、風の流れを規制するダクトが設けられている。これによりメインＰＣＢＡとＣＣＤ基板から発生した熱が透過照明ユニット内に流れ込むこれにより透過照明ユニット２内の温度センサーが図３で示すa〜bの一定温度内にあるが否かを判断する。
【００１４】
次に図４のフローチャートに基づいて説明をする。
【００１５】
Ｓ２において透過照明ユニット内の温度がｂ℃を超えている場合はＳ４に進む。
【００１６】
Ｓ４においてa℃を超える場合はＳ５に進みメインＰＣＢＡとＣＣＤ基板へ電源供給を止める。これにより画像形成装置内部温度を一定に保つことができ、a℃を超えない場合はＳ６に進みスキャンの有無を判断する。ここでスキャンボタンが押されていなければＳ２に戻り、スキャンボタンが押されていればＳ７に進みメインＰＣＢＡとＣＣＤ基板へ電流を流しつづけＳ８に進みます。Ｓ８においてスキャンが終了するとＳ９において電源オフを判断し、電源オフでなければＳ２に戻り同様の動作を行い、電源オフなら本動作を終了する。
【００１７】
これにより
（実施例２）
図４が本実施例をもっともよく表すフローチャートでその他の実施形態は実施例１と同じである。
【００１８】
実施例１との違いは温度でなく時間で温度をコントロールしたもので、Ｓ４においてa時間を超える場合はＳ５に進みメインＰＣＢＡとＣＣＤ基板へ電源供給を止める。これにより画像形成装置内部温度を一定に保つことができ、a時間を超えない場合はＳ６に進みスキャンの有無を判断する。ここでスキャンボタンが押されていなければＳ２に戻り、スキャンボタンが押されていればＳ７に進みメインＰＣＢＡとＣＣＤ基板へ電流を流しつづけＳ８に進みます。Ｓ８においてスキャンが終了するとＳ９において電源オフを判断し、電源オフでなければＳ２に戻り同様の動作を行い、電源オフなら本動作を終了する。
【００１９】
これにより、温度センサーが不要になり、実施例１に対してコストダウンも可能となった。
【図面の簡単な説明】
【００２０】
【図１】本発明を具体的に表す図。
【図２】温度変化を表す図。
【図３】本発明を具体的に示すフローチャート。
【図４】実施例２を具体的に示すフローチャート。
【図５】従来例。
【図１】
2005159951.tif 000003
【図２】
2005159951.tif 000004
【図３】
2005159951.tif 000005
【図４】
2005159951.tif 000006
【図５】
2005159951.tif 000007